(57)【特許請求の範囲】
【請求項１】
ハウジングと、
メス端子に嵌合され、端子嵌合・離脱方向に移動自在に前記ハウジングに支持された先端タブ部と、
前記先端タブ部とは別体に設けられ、前記ハウジングに保持された端子基部と、
前記先端タブ部の端子離脱方向への移動を阻止するストッパー部と、
前記先端タブ部と前記端子基部の間を接続する可撓性のある導電性部材とを備え、
前記ストッパー部は、前記ハウジングに一体に設けたことを特徴とするオス端子。
【請求項２】
請求項１記載のオス端子であって、
前記ハウジングには、前記先端タブ部の端子嵌合・離脱方向の直交方向及び前記ハウジングの摺動面より離間する方向の変位を規制する規制壁部を設けたことを特徴とするオス端子。
【請求項３】
請求項１又は請求項２記載のオス端子であって、
タブ部の長手方向の中間で分割することによって前記先端タブ部と前記端子基部が別体に構成されたことを特徴とするオス端子。
【発明の詳細な説明】
【技術分野】
【０００１】
本発明は、メス端子に嵌合されたタブ部を備えたオス端子に関する。
【背景技術】
【０００２】
タブ部を備えたオス端子が従来より種々提案されている。この種のオス端子の一従来例として、図２に示すものがある（特許文献１参照）。
【０００３】
図２に示すように、オス端子１００は、相手側のメス端子１１０に嵌合された板状のタブ部１０１と電線接続部１０２とを備えている。メス端子１１０は、略筒状に形成される端子接続部１１１と電線接続部１１２とを備えている。端子接続部１１１は、筒状であり、内部に弾性接触片１１８を有する。
【０００４】
上記構成において、タブ部１０１をメス端子１１０の端子接続部１１１内に挿入すると、弾性接触片１１８が下方に撓み、弾性接触片１１８の撓み復帰力を接触荷重として、タブ部１０１と端子接続部１１１が電気的に接続される。
【先行技術文献】
【特許文献】
【０００５】
【特許文献１】特開２００３−１７８８３０号公報
【発明の概要】
【発明が解決しようとする課題】
【０００６】
しかしながら、前記従来例では、オス端子１００とメス端子１１０の嵌合状態にあって、双方の端子間で微摺動が発生すると、接触面同士が擦れて酸化摩耗粉が発生する。発生した酸化磨耗粉は、微摺動によって大きく成長することになる。大きく成長した酸化磨耗粉は、メス端子１１０の接触部１１６、１１９とタブ部１０１間に挟まると、オス端子１００とメス端子１１０間の電気抵抗が増加するという問題があった。
【０００７】
そこで、本発明は、メス端子間での微摺動に起因する電気抵抗の増加を極力防止できるオス端子を提供することを目的とする。
【課題を解決するための手段】
【０００８】
本発明は、ハウジングと、メス端子に嵌合され、端子嵌合・離脱方向に移動自在に前記ハウジングに支持された先端タブ部と、前記先端タブ部とは別体に設けられ、前記ハウジングに保持された端子基部と、前記先端タブ部の端子離脱方向への移動を阻止するストッパー部と、前記先端タブ部と前記端子基部の間を接続する可撓性のある導電性部材とを備え、前記ストッパー部は、前記ハウジングに一体に設けたことを特徴とする。
【０００９】
前記ハウジングには、前記先端タブ部の端子嵌合・離脱方向の直交方向及び前記ハウジングの摺動面より離間する方向の変位を規制する規制壁部を設けることが好ましい。前記タブ部の長手方向の中間で分割することによって前記先端タブ部と前記端子基部が別体に構成されることが好ましい。
【発明の効果】
【００１０】
本発明によれば、先端タブ部がメス端子に嵌合された状態にあって、メス端子との間で微摺動が発生すると、先端タブ部がメス端子と一体となって微摺動するため、先端タブ部とメス端子の接触面との間で擦れが発生せず酸化摩耗粉が発生しない。従って、メス端子間での微摺動に起因する電気抵抗の増加を極力防止できる。
【図面の簡単な説明】
【００１１】
【図１】本発明の一実施形態を示し、メス端子に嵌合されたオス端子の断面図である。
【図２】一従来例を示し、メス端子に嵌合されたオス端子の断面図である。
【発明を実施するための形態】
【００１２】
以下、本発明の一実施形態を図面に基づいて説明する。
【００１３】
図１は本発明の一実施形態を示す。本実施形態のオス端子１は、相手側のメス端子２に嵌合された板状のタブ部１０と、タブ部１０の後端側に設けられた電線接続部２０と、ハウジング３０とから構成されている。
【００１４】
タブ部１０は、長手方向の中間で端子基部１１と先端タブ部１２とに分割されている。端子基部１１は、電線接続部２０と一体に形成され、ハウジング３０に保持されている。先端タブ部１２は、メス端子２に嵌合され、端子嵌合・離脱方向（図1の矢印Ｘ２、Ｘ１で示す方向）に移動自在にハウジング２に支持されている。先端タブ部１２と端子基部１１は、可撓性のあるワイヤー（導電性部材）１３により互いに接続されている。ワイヤー１３は、ハウジング３０の後述するストッパー部３４を跨ぐように湾曲して設けられ、両端が先端タブ部１２と端子基部１１にはんだ部１４により接続されている。
【００１５】
電線接続部２０は、電線２１の芯線２２に加締められた芯線加締め部２３と、電線２１の被覆部２４に加締められた電線加締め部２５とを有する。
【００１６】
ハウジング３０は、端子嵌合・離脱方向に延びる基板部３１と、基板部３１の後端側に設けられ、電線接続部２０及び電線２１の端部を収容する収容部３２と、基板部３１の前端側に設けられ、先端タブ部１２の端子嵌合・離脱方向の直交方向（図１の紙面に対して垂直な方向）及び基板部３１の摺動面３１ａより離間する方向（図１の矢印Ｙ１で示す方向）の変位を規制する規制壁部３３と、基板部３１の長手方向の中間に設けられ、先端タブ部１２の端子離脱方向（図1の矢印Ｘ１で示す方向）への移動を阻止するストッパー部３４とから一体に形成されている。
【００１７】
メス端子２は、略筒状に形成される端子接続部３を有する。端子接続部３は、天板部４と、底板部５と、弾性接触片６とを備えている。底板部５には、天板部４に向かって突出して、先端タブ部１２の下面１２ａと接触する接触面５ａが形成されている。弾性接触片６は、天板部４の前端より内側に切り起こされて、後端側へ突出する。弾性接触片６には、底板部５の接触面５ａと対向し、先端タブ部１２の上面１２ｂと接触する接触面６ａが形成されている。
【００１８】
上記構成では、当該オス端子１の電線接続部２０に電線２１を接続した後、端子基部１１及び電線接続部２０をハウジング３０の収容部３２に後端側から挿入すると共に、基板部３１上に載置する。これにより、電線接続部２０は収容部３２に収容される。端子基部１１は、収容部３２より前端側へ突出すると共に、ストッパー部３４より後端側に配置される。
【００１９】
次に、先端タブ部１２をハウジング３０の規制壁部３３内に前端側より挿入して基板部３１の摺動面３１ａ上に載置すると共に、先端タブ部１２をストッパー部３４より前端側に配置する。次に、端子基部１１と先端タブ部１２とをワイヤー１３により連結して、ワイヤー１３の両端をはんだ部１４ではんだ付けする。これにより、端子基部１１と先端タブ部１２がワイヤー１３を介して電気的に接続されると共に、ワイヤー１３の弾性変形により、先端タブ部１２は端子嵌合・離脱方向に移動自在である。
【００２０】
先端タブ部１２は、ハウジング３０の規制壁部３３により、端子嵌合・離脱方向の直交方向、及び基板部３１の摺動面３１ａより離間する方向の変位が規制されるので、基板部３１の摺動面３１ａに沿って端子嵌合・離脱方向へ移動する。そして、先端タブ部１２は端子嵌合方向へ所定距離、移動すると、後端がストッパー部３４に突き当たるので、先端タブ部１２の端子離脱方向へのさらなる移動が阻止される。
【００２１】
上記のようにして当該オス端子１を組み立てた後、先端タブ部１２をメス端子２の端子接続部３に前端側から挿入すると、端子接続部３の接触面５ａ、６ａが先端タブ部１２の下面１２ｂ、上面１２ａと接触して、弾性接触片６が上方に撓む。さらに、先端タブ部１２を移動端部まで挿入すると、弾性接触片６の撓み復帰力を接触荷重として、端子接続部３の接触面５ａ、６ａがタブ部１２の下面１２ｂ、上面１２ａに圧接した状態に保たれる。これにより、メス端子２とオス端子１間が通電する。
【００２２】
メス端子２とオス端子１間が嵌合された状態にあって、メス端子２側とオス端子１側がそれぞれ微摺動すると、端子接続部３の接触面５ａ、６ａが先端タブ部１２の下面１２ｂ、上面１２ａに圧接しているため、先端タブ部１２がハウジング３０の摺動面３１ａを摺動することにより、先端タブ部１２がメス端子２に一体となって微摺動する。これによって、先端タブ部１２とメス端子２の接触面５ａ、６ａとの間で擦れが発生せず酸化摩耗粉が発生しない。以上より、メス端子２間での微摺動に起因する電気抵抗の増加を極力防止できるオス端子１を提供できる。
【００２３】
先端タブ部１２の端子離脱方向への移動を阻止するストッパー部３４をハウジング３０に一体に設けたので、ストッパー部３４をハウジング３０と別体に設ける場合と比べて、部品点数を少なくして製造コストを安く抑えることができる。
【００２４】
ハウジング３０に設けた規制壁部３３により先端タブ部１２の位置が規制されるので、先端タブ部１２をハウジング３０の摺動面３１ａに沿って端子嵌合・離脱方向へ円滑に移動させることができる。
【００２５】
タブ部１０の長手方向の中間で分割することによって先端タブ部１２と端子基部１１を別体に構成するので、従来部品であるタブ部を流用して先端タブ部と端子基部を形成することもできる。
【符号の説明】
【００２６】
１  オス端子
２  メス端子
１０  タブ部
１１  端子基部
１２  先端タブ部
１３  ワイヤー（導電性部材）
３０  ハウジング
３１ａ  摺動面
３３  規制壁部
３４  ストッパー部
【図１】
0006534304.tif 000002
【図２】
0006534304.tif 000003